(57)【要約】【課題】人が重要と考える記念日は性別、年代、関係等によって異なるため、携帯端末に単に通信相手の記念日を登録する機能があっても、通信相手にとって重要な記念日の登録を漏らしてしまい、結果として重要な記念日に気付かずに通信し、円滑なコミュニケーションを損なう場合があった。【解決手段】携帯端末は、所定の人の電話番号と属性情報と記念日を記憶する電話帳と、複数の属性情報と、前記複数の属性情報のそれぞれに対応した記念日候補とを記憶する記念日データベースと、を備え、前記所定の人の属性情報から前記記念日データベースを用いて記念日候補を検索し、前記検索した記念日候補を前記所定の人の記念日として前記電話帳に記憶する。これにより、属性情報に対応した記念日データベースから記念日を選択でき、重要な記念日の登録を漏らすことを防ぐことができる。【選択図】図１
2011124826.tif 000002
【特許請求の範囲】
【請求項１】
所定の人の電話番号又は／及びメールアドレスと属性情報と記念日を記憶する電話帳と、
複数の属性情報と、前記複数の属性情報のそれぞれに対応した記念日候補とを記憶する記念日データベースと、
を備え、
前記所定の人の属性情報から前記記念日データベースを用いて記念日候補を検索し、前記検索した記念日候補を前記所定の人の記念日として前記電話帳に記憶する携帯端末。
【請求項２】
第１の通信部と、
所定の人の電話番号又は／及びメールアドレスと属性情報と記念日を記憶する電話帳と、
を備え、
前記第１の通信部を介して前記所定の人の属性情報を記念日データベースサーバに送信し、
前記第１の通信部を介して前記記念日データベースサーバから記念日候補を受信し、
前記受信した記念日候補を前記所定の人の記念日として前記電話帳に記憶する携帯端末。
【請求項３】
第２の通信部と、
複数の属性情報と、前記複数の属性情報のそれぞれに対応した記念日候補とを記憶する記念日データベースと、
を備え、
前記第２の通信部を介して携帯端末より受信する属性情報から前記記念日データベースを用いて記念日候補を検索し、前記検索した記念日候補を、前記第２の通信部を介して前記携帯端末に送信する記念日データベースサーバ。
【請求項４】
請求項１又は請求項２に記載の携帯端末であって、
前記属性情報は、性別と、前記携帯端末の使用者と前期所定の人との関係性を示す関係性情報とを含む携帯端末。
【請求項５】
請求項１、請求項２、及び請求項４のいずれか１項に記載の携帯端末であって、
電話帳の記念日は、候補領域と、確定領域に分けられ記憶され、検索された記念日候補は候補領域に記憶され、候補領域の記念日を確定領域に設定する手段と、を備え、記念日の報知は確定領域の記念日に対して行われる、携帯端末。
【請求項６】
請求項１、請求項２、請求項４、及び請求項５のいずれか１項に記載の携帯端末であって、
電話着信時に、受信した相手の電話番号から電話帳を用いて該当する電話番号を検索し、該当する記念日を検索し、表示する携帯端末。
【請求項７】
請求項１、請求項２、請求項４から請求項６のいずれか１項に記載の携帯端末であって、
電話発信時に、相手の電話番号から電話帳を用いて該当する電話番号を検索し、該当する記念日を検索し、表示する携帯端末。
【請求項８】
請求項１、請求項２、請求項４から請求項７のいずれか１項に記載の携帯端末であって、
メール着信時に、受信した相手のメールアドレスから電話帳を用いて該当するメールアドレスを検索し、該当する記念日を検索し、表示する携帯端末。
【請求項９】
請求項１、請求項２、請求項４から請求項８のいずれか１項に記載の携帯端末であって、
メール編集時に、宛先のメールアドレスから電話帳を用いて該当するメールアドレスを検索し、該当する記念日を検索し、表示する携帯端末。
【請求項１０】
請求項６から請求項８のいずれか１項に記載の携帯端末であって、
表示する記念日は、現在の日付から一定の範囲の期間のものを表示する携帯端末。
【請求項１１】
請求項１、請求項２、請求項４から請求項１０のいずれか１項に記載の携帯端末であって、
通話終了時に、通話相手に関する記念日の日付を編集する状態になる、携帯端末。
【請求項１２】
請求項１、請求項２、請求項４から請求項１１のいずれか１項に記載の携帯端末であって、
メールを閉じる時に、自分以外のメールアドレスに対応する相手に関する記念日の日付を編集する状態になる、携帯端末。
【発明の詳細な説明】
【技術分野】
【０００１】
本発明は、携帯電話機のように、電話帳機能、通話機能、メール機能など備えた情報端末で、より良い対人関係の構築を提供することのできる携帯端末及び記念日データベースサーバに関する。
【背景技術】
【０００２】
より良い対人関係を構築するために、記念日が重要な場合がある。しかし、記念日は覚えておき、その日に気付く必要があり、忘れてしまい、その人との対人関係が悪くなることもある。
【０００３】
記念日を記憶し、忘れないように報知させる機能と、報知されたときの操作に関する技術が、特許文献１から特許文献３に記載されている。
【０００４】
特許文献１には、記憶されている複数の記念日から、現在の日付から所定の日数先の日付までの記念日を順次表示する情報表示装置が記載されている。
【０００５】
特許文献２には、電話帳データの通話相手に対して、記念日や誕生日等の日付情報を付与することができ、日付情報中に現在の日付に一致するものがあれば、表示部に通信を促すためのアイコンを表示することができる通信端末装置が記載されている。
特許文献３には、記念日の報知後に操作があると、そのアプリケーションを起動し、使用者に必要なデータ記録を意識させることで、記念日に記録すべきデータが記録されないことを防止する携帯端末装置が記載されている。
【先行技術文献】
【特許文献】
【０００６】
【特許文献１】特開平６−２５０９７９号公報
【特許文献２】特開２０００−３４１３９２号公報
【特許文献３】特開２００８−１８７３５７号公報
【発明の概要】
【発明が解決しようとする課題】
【０００７】
しかしながら、これらの従来技術は、記憶された記念日の報知方法と、報知後の操作に関するものであるため、必要な記念日が記憶されていない場合は効果がないという問題点があった。
記念日は、相手に伝えたり、一緒に共有し祝福したりすることで、対人関係を良好にする意味がある場合が多い。しかし、性別やその人との関係性などによって記念日の重要性の捉え方が異なるため、相手が重要に思う記念日を知らないために、記憶させていないことがある。例えば結婚記念日の場合、女性は重要に考えるが、男性はあまり重要に考えない傾向があり、男性は結婚記念日をあまり意識せず、覚えていないことも多い。
このような重要性の違いなどにより、相手にとって大切な記念日に気付かず、情報機器等に記憶されていないのであれば、従来技術は効果がない。
【０００８】
また、記念日は相手と共有することに意味があることも多く、タイミングよく伝えることも重要である。例えば、その相手から電話をもらったときに、次の記念日に気付き、記念日の約束することで良い関係を築くことができる。しかし、従来技術では報知はするが、相手に伝えるべきタイミングまでは考慮していないため、記念日が記憶されていたとしても、記念日を良い対人関係の構築に活用することができない。
【０００９】
本発明は、上記に鑑みてなされたものであり、相手にとって重要な記念日に気付くようにし、また、記憶させるきっかけを提供することで、必要な記念日を記憶させるようにする。
さらに、記憶された記念日を適切なタイミングと手段で報知し、より良い対人関係を構築できる携帯端末を提供することを目的とする。
【課題を解決するための手段】
【００１０】
本発明の携帯端末は、所定の人の電話番号又は／及びメールアドレスと属性情報と記念日を記憶する電話帳と、複数の属性情報と、前記複数の属性情報のそれぞれに対応した記念日候補とを記憶する記念日データベースと、を備え、前記所定の人の属性情報から前記記念日データベースを用いて記念日候補を検索し、前記検索した記念日候補を前記所定の人の記念日として前記電話帳に記憶する。
【００１１】
この構成により、誰にでもわかりやすい属性情報から、その属性情報を持つ人が一般的に重要と考える記念日候補を設定させることができるため、記念日に対する重要性の違いにより、自分では気付かない重要な記念日を設定させることができる。
【００１２】
また、本発明の携帯端末は、第１の通信部と、所定の人の電話番号又は／及びメールアドレスと属性情報と記念日を記憶する電話帳と、を備え、前記第１の通信部を介して前記所定の人の属性情報を記念日データベースサーバに送信し、前記第１の通信部を介して前記記念日データベースサーバから記念日候補を受信し、前記受信した記念日候補を前記所定の人の記念日として前記電話帳に記憶する。
【００１３】
この構成により、携帯端末外部のデータベースサーバにデータベースを持たせることで、携帯電話内部のデータベースの更新を行う必要もなくなり、最新の情報を用いた検索を提供することが出来る。
【００１４】
また、本発明の記念日データベースサーバは、第２の通信部と、複数の属性情報と、前記複数の属性情報のそれぞれに対応した記念日候補とを記憶する記念日データベースと、を備え、前記第２の通信部を介して携帯端末より受信する属性情報から前記記念日データベースを用いて記念日候補を検索し、前記検索した記念日候補を、前記第２の通信部を介して前記携帯端末に送信する。
【００１５】
この構成により、携帯端末外部に詳細な情報を記憶するデータベースを持たせることで、複数の属性情報からの詳細な検索を提供することが出来る。
【００１６】
また、本発明の携帯端末は、前記属性情報は、性別と、前記携帯端末の使用者と前期所定の人との関係性を示す関係性情報とを含む。
【００１７】
この構成により、記念日の重要性の違いを生じさせやすい性別と関係性を用いることで、効果的に重要な記念日候補を設定させることが出来る。
【００１８】
また、本発明の携帯端末は、電話帳の記念日は、候補領域と、確定領域に分けられ記憶され、検索された記念日候補は候補領域に記憶され、候補領域の記念日を確定領域に設定する手段と、を備え、記念日の報知は確定領域の記念日に対して行われる。
【００１９】
この構成により、検索により設定された一般的に重要な記念日候補から、設定する相手固有の重要な記念日を推測、検討し、確定させることで、個人毎の本当に重要な記念日を精度よく報知させることが出来る。
【００２０】
また、本発明の携帯端末は、電話着信時に、受信した相手の電話番号から電話帳を用いて該当する電話番号を検索し、該当する記念日を検索し、表示する。
【００２１】
この構成により、相手との通話前に記念日に気付くことができ、その後の会話の中で記念日を話題にでき、より良い対人関係の構築や維持を促進することが出来る。
【００２２】
また、本発明の携帯端末は、電話発信時に、相手の電話番号から電話帳を用いて該当する電話番号を検索し、該当する記念日を検索し、表示する。
【００２３】
この構成により、会話をする前に、その相手に関係する記念日を知ることができ、その後の会話の中で記念日を話題にすることができ、より良い対人関係の構築や維持を促進することが出来る。
【００２４】
また、本発明の携帯端末は、メール着信時に、受信した相手のメールアドレスから電話帳を用いて該当するメールアドレスを検索し、該当する記念日を検索し、表示する。
【００２５】
この構成により、受信したメールに対する反応をする前に、記念日に気付くことができ、より良い対人関係の構築や維持を促進することが出来る。
【００２６】
また、本発明の携帯端末は、メール編集時に、宛先のメールアドレスから電話帳を用いて該当するメールアドレスを検索し、該当する記念日を検索し、表示する。
【００２７】
この構成により、メールを送信する前に記念日に気付くことができ、メールの中で記念日を話題にすることができ、より良い対人関係の構築や維持を促進することが出来る。
【００２８】
また、本発明の携帯端末は、表示する記念日は、現在の日付から一定の範囲の期間のものを選び行われる。
【００２９】
この構成により、今の時点において、関係を維持するために効果的な記念日を知ることで、タイムリーなアクションをとることができ、効率的に、より良い対人関係の構築や維持を行うことが出来る。
【００３０】
また、本発明の携帯端末は、通話終了時に、通話相手に関する記念日の日付を編集する状態になる。
【００３１】
この構成により、通話の会話の中で生じた記念日を忘れないうちに、設定、編集するタイミングを提供することで、記念日の設定を忘れることを防止することが出来る。
【００３２】
また、本発明の携帯端末は、メールを閉じる時に、自分以外のメールアドレスに対応する相手に関する記念日の日付を編集する状態になる。
【００３３】
この構成により、メールで生じた記念日を忘れないうちに、設定、編集するタイミングを提供することで、記念日の設定を忘れることを防止することが出来る。
【発明の効果】
【００３４】
本発明によれば、相手にとって重要な記念日が記憶さていない状態を防止し、適切なタイミングで報知させることができ、記念日をより良い対人関係の構築に活用させることができる。
【図面の簡単な説明】
【００３５】
【図１】本発明の実施の形態１の携帯端末の構成を示す図
【図２】実施の形態１に係る表示を示す図
【図３】実施の形態１に係る表示を示す図
【図４】実施の形態１に係る表示を示す図
【図５】本発明の実施の形態２の携帯端末とデータベースサーバの構成を示す図
【図６】実施の形態３に係る表示を示す図
【図７】実施の形態４に係る表示を示す図
【図８】実施の形態５に係る表示を示す図
【図９】実施の形態６に係る表示を示す図
【発明を実施するための形態】
【００３６】
以下、本発明の実施の形態について図面を参照して詳細に説明する。
【００３７】
（実施の形態１）
図１は、本発明の実施の形態１の携帯端末の構成である。本実施の形態は、記念日を記憶する機能を有する電子機器としてＰＨＳ（Personal Handy-Phone System）／携帯電話機、ＰＤＡ（Personal Digital Assistants）等の携帯端末装置に適用した例である。
図１において、携帯端末100は記念日の記録や報知を行う端末である。表示部101は、電話帳、メール、端末の状態、通信機能の動作状態等の表示を行う。操作部102は、キーボードなどであり、文字入力、編集、設定、通信機能等の各種操作を行う。通信部103は、無線などを使い外部機器と、通話、メールの送受信、データの送受信などを行う。電話帳104は、個人毎の名前、電話番号、メールアドレス、属性、記念日を記憶する。属性は、その人の特徴などを表す、性別、年代、その人との関係性、などの記念日の重要性を識別すべき項目で構成される。その他、職業、趣味などの項目があってもよい。
記念日は、その人に関係する記念日であり、結婚記念日などの記念日の項目と、その記念日の日付である。この記念日は、属性から検索された記念日候補データと、編集により確定された確定記念日で構成される。データベース105は、属性情報から、その属性の人が一般的に重要と考えている記念日候補データを格納している。即ち、データベース105は、複数の属性情報のそれぞれに対応した記念日候補データを記憶している。
制御部106は、携帯端末の動作を制御する。
【００３８】
以下、上述のように構成された携帯端末の記念日候補の設定動作を説明する。
【００３９】
図２から図４は、携帯端末の電話帳の属性情報の設定動作と、記念日候補の設定を説明する図である。
図２は、電話帳104に登録されている○○○○さんの属性設定画面であり、現在設定されている情報が表示されている。これらの設定情報は「編集」ボタンにより編集することができる。図３は、関係性の項目の編集状態であり、関係性の候補がリスト表示されており、このリストから選択することができる。重要な記念日は、一般的にその人との関係性により異なるが、使用者はそれに気付いていないことも多い。したがって、このようにリスト表示された項目から選択することで、簡単かつ有効に設定することができる。
【００４０】
図２の状態において、「候補検索」ボタンを押すと、データベース105を用いて、その属性の人が持つ一般的に重要な記念日の候補を検索し、記念日候補として電話帳104に記憶される。図４は、記念日候補が設定された状態を示す。記念日は、確定記念日と記念日候補に分けて記憶され、表示される。図４は、すべてが記念日候補として設定されている状態である。
【００４１】
以上のように、本実施の形態によれば、使用者が容易にわかる相手の属性を設定することで、気付きにくい相手に重要な記念日の候補に気付くことができる。したがって、重要な記念日に気付かず登録されていない状態を防止することができる。
【００４２】
（実施の形態２）
図５は、本発明の実施の形態２の携帯端末の構成である。この形態では、記念日候補の検索には、携帯端末100の外部にある、データベースサーバ107を用いる。
図５において、携帯端末100は、図１の実施の形態１と同様であるが、データベース105は使用しない。携帯端末100は候補選択実行時に、電話帳104に記憶されている属性情報を通信部103から送信する。データベースサーバ107は、携帯端末100の通信部103から送信された属性情報を通信部108が受信し、データベース109を用いて記念日候補を検索し、通信部108が送信する。携帯端末100は、データベースサーバ107の通信部108から送信された記念日候補を通信部103が受信し、電話帳104に設定する。
【００４３】
以上のように、本実施の形態によれば、携帯端末の通信機能を用いることで、外部のデータベースサーバを用いて記念日の検索を行うことができる。外部のデータベースでは、詳細な検索を実施することができ、また、最新の情報に基づいて内容を更新することも容易である。本実施の形態では、携帯端末内部のデータベースの更新を必要とせずに常に最新のデータベースを用いることができる。また、携帯端末内部の記憶領域を削減することができる。
【００４４】
（実施の形態３）
実施の形態３は、記念日候補から、本当に必要な記念日を確定させる例である。
【００４５】
実際の重要な記念日は個人毎に異なるため、一般的な記念日候補では、そのすべての候補がその人に本当に適合するとは限らない。したがって、記念日候補をすべて報知することは不便であるため、編集により個人毎に必要な記念日を確定させ確定記念日として記憶する。報知される記念日は、確定記念日により行われる。
【００４６】
図６は、記念日を確定させるための「記念日編集」状態を示す。記念日は、記念日候補と確定記念日に別れて記憶されており、携帯端末が報知する記念日は、確定記念日のデータが使用される。記念日候補は、必要と思われる記念日に気付き、本当に重要かを吟味するために設定されている。使用者は、それぞれの記念日候補が本当に適合するかを検討し、必要なものを確定させ、確定記念日に設定することができる。また、不要なものは削除することができ、不足があるなら新規に追加を行うこともできる。
候補も何もないところから、相手に重要な記念日を設定することは、相手の考える記念日の重要性に気付いていないので困難である。しかし、候補があれば、それぞれの記念日候補に対して、相手の性格や普段の行動などから、重要性を検討することができる。
【００４７】
このように、本実施の形態によれば、候補となる記念日が実際に重要か検討することができ、本当に必要な記念日を確定させることができる。そして、不要な記念日が報知されるわずらわしさを無くすことができる。
【００４８】
（実施の形態４）
実施の形態４は、電話着信時に、近い将来の記念日を表示する例である。
【００４９】
図７は、電話着信時の記念日表示を示す。電話の着信があったとき、通知された相手の電話番号から電話帳に記憶されている電話番号を検索し、電話番号が一致する人の記念日を調べる。そのなかから、現在から近い将来の記念日を選び、順番に表示することで、電話にでて通話する前に、その人に関係する記念日を知ることができる。通話する直前に記念日を知ることができるため、その後の通話で記念日を伝え、話題とすることができ、対人関係を良くすることができる。
【００５０】
また、自分が発信し通話を開始するときに、通話相手の電話番号から電話帳を検索し、記念日を表示することもできる。この場合も同様に、通話前にその人に関係する記念日を知ることができる。
【００５１】
また、表示する記念日は、近い将来のものとして説明したが、過去のものなどがあってもよい。
【００５２】
このように、本実施の形態によれば、相手との通話の前のタイミングに、現在から近い記念日を知ることができ、その通話で相手に伝えることが容易にできるため、伝えるタイミングを逃すことを防止することができる。
【００５３】
（実施の形態５）
実施の形態５は、メール着信時に、近い将来の記念日を表示する例である。
【００５４】
図８は、メール着信時の記念日表示を示す。メール着信があったとき、差出人のメールアドレスから電話帳に記憶されているメールアドレスを検索し、メールアドレスが一致する人の記念日を調べる。そのなかから、現在から近い将来の記念日を選び、順番に表示することで、メール着信時に、その人に関係する記念日を知ることができ、思い出すことができる。また、メール開封時に、表示することもできる。
さらに、新規作成や返信などメールを送信するときに、送信相手のメールアドレスから電話帳を検索し、記念日を表示することもできる。この場合は、送信前にその人と関係する記念日を知ることができ、記念日のことをメールに記述して伝えるタイミングを逃すことを防止する。
【００５５】
このように、本実施の形態によれば、メール編集時などに相手に関係する記念日に気付くことができ、メールで相手に伝えることが容易にできるため、伝えるタイミングを逃すことを防止することができる。
【００５６】
（実施の形態６）
実施の形態６は、記念日の日付を登録する例である。
図９は、記念日の日付を登録させるための「記念日登録」状態を示す。
【００５７】
電話帳に記録されている確定記念日のそれぞれには、日付を登録することができる。図９は、「デート」の項目に記念日の日付を設定する状態を示す。
【００５８】
通話では、相手との約束などが行われることも多く、それが実際の記念日となることがある。したがって、通話終了時に「記念日登録」状態を表示することにより、記念日を忘れずに登録する機会が提供される。
また、「記念日登録」状態は、メール送信後、メールを読み終わり閉じる時などに、表示させることもできる。
【００５９】
このように、本実施の形態によれば、相手とのやり取りが生じたときに、記念日を登録する機会が提供され、記念日の日付が登録されないことを防止することができる。
【００６０】
以上の説明は本発明の好適な実施の形態の例証であり、本発明の範囲はこれに限定されることはない。記念日を記憶する携帯電話機に適用した例について説明しているが、携帯電話機に限らずＰＤＡ等の携帯情報端末、パーソナルコンピュータ又はその融合された装置などの携帯機器に適用可能である。
【００６１】
また、本実施の形態では携帯端末という名称を用いたが、これは説明の便宜上であり、情報処理装置、電子機器等であってもよいことは勿論である。
【００６２】
さらに、上記携帯端末を構成する各部、例えば通信部、操作部、表示部の種類、その数及び接続方法などはどのようなものでもよい。
【００６３】
以上説明した携帯端末は、この携帯端末を機能させるためのプログラムでも実現される。このプログラムはコンピュータで読み取り可能な記録媒体に格納されている。
【産業上の利用可能性】
【００６４】
本発明に係る携帯端末は、電話帳などで個人情報を記憶することが可能な携帯端末や、電話、メール機能などの通信機能を有する携帯電話機などに組み込むことが可能である。
【符号の説明】
【００６５】
１００    携帯端末
１０１    表示部
１０２    操作部
１０３    通信部
１０４    電話帳
１０５    データベース
１０６    制御部
１０７    データベースサーバ
１０８    通信部
１０９    データベース
【図１】
2011124826.tif 000003
【図２】
2011124826.tif 000004
【図３】
2011124826.tif 000005
【図４】
2011124826.tif 000006
【図５】
2011124826.tif 000007
【図６】
2011124826.tif 000008
【図７】
2011124826.tif 000009
【図８】
2011124826.tif 000010
【図９】
2011124826.tif 000011